(57)【要約】【課題】断熱性に優れ、二重床構造施工時の作業性を向上させることができる二重床断熱パネル及び二重床構造並びにその施工方法を提供する。【解決手段】二重床断熱パネル５０は、下地パネル２の裏面２１に、下地パネル２の幅Ｗ１より小さく、下地パネル２の長さＬ１より大きい第１断熱材３０と、第１断熱材３０の両側方に配置され、下地パネル２の長さＬ１より小さい少なくとも一対の第２断熱材４０とを固定して構成されており、第１断熱材３０には、下地パネル２の長手方向よりも突出する両端部の上面を下地パネル２の厚みと同じかそれ以下にして立設された第１段差部３１が設けられ、第２断熱材４０は、一側部が第１断熱材３０の長辺側面に接して設けられるとともに、他側部が下地パネル２の側方に突出して設けられ、その突出した部分の上面を下地パネル２の厚みと同じかそれ以下にして立設された第２段差部４１が設けられている。【選択図】      図１
2013079528.tif 000002
【特許請求の範囲】
【請求項１】
コンクリートスラブ等の基礎床上に配設される複数の支持脚で支持された下地パネル上に床パネルを敷設することにより、前記基礎床と前記床パネルとの間に空間部を構成する二重床構造に用いられる二重床断熱パネルであって、前記下地パネルの裏面に、該下地パネルの幅より小さく、該下地パネルの長さより大きい第１断熱材と、該第１断熱材の両側方に配置され、前記下地パネルの長さより小さい少なくとも一対の第２断熱材とを固定して構成されており、前記第１断熱材には、前記下地パネルの長手方向よりも突出する両端部の上面を前記下地パネルの厚みと同じかそれ以下にして立設された第１段差部が設けられ、前記第２断熱材は、一側部が前記第１断熱材の長辺側面に接して設けられるとともに、他側部が前記下地パネルの側方に突出して設けられ、その突出した部分の上面を前記下地パネルの厚みと同じかそれ以下にして立設された第２段差部が設けられていることを特徴とする二重床断熱パネル。
【請求項２】
前記第１断熱材及び前記一対の第２断熱材は、前記下地パネルの一側部上面から前記第１断熱材及び前記一対の第２断熱材の裏面を介して、前記下地パネルの他側部上面まで巻き付けられたテープにより、前記下地パネルに固定されていることを特徴とする請求項１記載の二重床断熱パネル。
【請求項３】
前記第２段差部の外側面の上下端は、円弧面または角部を切り落とした斜面形状に形成されるとともに、前記第２段差部表面と前記下地パネル表面との間に段差が生じないように連続して設けられていることを特徴とする請求項１又は２に記載の二重床断熱パネル。
【請求項４】
請求項１から３のいずれか一項に記載の二重床断熱パネルを用いて構成される二重床構造であって、コンクリートスラブ等の基礎床上に複数の支持脚が配設され、これら支持脚の間に前記第２断熱材を配置された状態で前記二重床断熱パネルが載置されるとともに、前記第１断熱材の第１段差部及び前記第２断熱材の前記第２段差部の外側面同士を当接させて該二重床断熱パネルが複数並べられて敷設されていることを特徴とする二重床構造。
【請求項５】
請求項１から３のいずれか一項に記載の二重床断熱パネルを複数用意しておき、基礎床上に複数の支持脚を配設した後、これら支持脚の上に前記二重床断熱パネルを載置するとともに、前記下地パネルに固定された前記第１断熱材及び前記第２断熱材の外周面同士を当接させ、各二重床断熱パネルを並べて敷設することを特徴とする二重床構造の施工方法。
【請求項６】
コンクリートスラブ等の基礎床上に配設される複数の支持脚で支持された下地パネル上に床パネルを敷設することにより、前記基礎床と前記床パネルとの間に空間部を構成する二重床構造に用いられる断熱材であって、前記下地パネルの裏面に配置され、該下地パネルの幅よりも小さく、該下地パネルの長さより大きい第１断熱材と、該第１断熱材の両側方に配置され、前記下地パネルの長さより小さい少なくとも一対の第２断熱材とを有し、前記第１断熱材には、前記下地パネルの裏面に配置された際に該下地パネルの長手方向よりも突出する両端部の上面を前記下地パネルの厚みと同じかそれ以下にして立設された第１段差部が設けられ、前記第２断熱材は、一側部が前記第１断熱材の長辺側面に接して設けられるとともに、他側部が前記下地パネルの側方に突出する大きさに設けられ、その突出する部分の上面を前記下地パネルの厚みと同じかそれ以下にして立設された第２段差部が設けられていることを特徴とする断熱材。
【請求項７】
請求項６に記載の断熱材を用いて二重床構造を施工する方法であって、コンクリートスラブ等の基礎床上に複数の支持脚を配設しておき、これら支持脚の上に複数の下地パネルを設置した後に、各下地パネルの裏面に、前記第１断熱材を配置するとともに、該第１断熱材の両側方に少なくとも一対の前記第２断熱材を固定し、前記下地パネルに固定された前記第１断熱材及び前記第２断熱材の外周面同士を当接させ、各二重床断熱パネルを並べて敷設することを特徴とする二重床構造の施工方法。
【発明の詳細な説明】
【技術分野】
【０００１】
本発明は、コンクリートスラブ等の基礎床上に支持脚を介して床パネルを支持する二重床構造に用いる二重床断熱パネル及び二重床構造並びにその施工方法に関する。
【背景技術】
【０００２】
近年、集合住宅やオフィスビルなどの多くの建造物に二重床構造のものが採用されてきている。この二重床構造においては、コンクリートスラブ等の基礎床と床パネルとの間に空間部を形成して、この空間部によって床パネルと基礎床とを離間させることにより遮音性を確保するとともに、その空間部に設備配管や配線等を設けることができるようになっている。この種の二重床構造においては、基礎床上に並べられて床パネルを支持する支持脚に防振ゴム等の弾性部材からなる接床台座を使用し、床面上に物体を落下させた場合にも、その落下衝撃を減衰させて基礎床に伝達し難くしており、遮音性や衝撃緩和性能を高めている。
このような二重床構造において、下地パネルの下面側に断熱材を設けて床下を断熱することも行われている。
【０００３】
例えば、特許文献１では、支持脚の上部の支持板よりも下方位置に、側方に突出する断熱材支持部を有する係止具が取り付けられており、隣接する支持脚の断熱材支持部間に断熱材を架け渡して配置し、その上に、床パネルを敷設する二重床構造が提案されている。
また、特許文献２では、方形の板本体（下地パネル）の裏面にこの板本体の外形よりも小さい断熱パネルが固定され、この板本体の裏面の長辺に形成される段部に帯板状の断熱材を固定した付加枠板を配置し、この付加枠板により支持脚や下地パネルの間隙等をカバーリングした二重床構造が提案されている。
【先行技術文献】
【特許文献】
【０００４】
【特許文献１】特許第３８３７２１６号公報
【特許文献２】特開２００９−９１７５５号公報
【発明の概要】
【発明が解決しようとする課題】
【０００５】
しかしながら、特許文献１の二重床構造においては、基礎床上に設置された支持脚に断熱材を設置するための係止具が必要であり、コストがかかる。また、断熱材と下地パネルとを別々に設置するため、施工時の作業性が悪いという問題がある。
また、特許文献２の二重床構造は、支持脚部分においても大きな隙間を作らないように断熱材を敷き詰めて構成されているため、断熱性を向上させることができるが、個々の断熱材を一つずつ取付ける必要があり、施工時の作業性が悪いという問題があった。
【０００６】
本発明は、このような事情に鑑みてなされたもので、断熱性に優れ、二重床構造施工時の作業性を向上させることができる二重床断熱パネル及び二重床構造並びにその施工方法を提供することを目的とする。
【課題を解決するための手段】
【０００７】
本発明の二重床断熱パネルは、コンクリートスラブ等の基礎床上に配設される複数の支持脚で支持された下地パネル上に床パネルを敷設することにより、前記基礎床と前記床パネルとの間に空間部を構成する二重床構造に用いられる二重床断熱パネルであって、前記下地パネルの裏面に、該下地パネルの幅より小さく、該下地パネルの長さより大きい第１断熱材と、該第１断熱材の両側方に配置され、前記下地パネルの長さより小さい少なくとも一対の第２断熱材とを固定して構成されており、前記第１断熱材には、前記下地パネルの長手方向よりも突出する両端部の上面を前記下地パネルの厚みと同じかそれ以下にして立設された第１段差部が設けられ、前記第２断熱材は、一側部が前記第１断熱材の長辺側面に接して設けられるとともに、他側部が前記下地パネルの側方に突出して設けられ、その突出した部分の上面を前記下地パネルの厚みと同じかそれ以下にして立設された第２段差部が設けられていることを特徴とする。
【０００８】
下地パネルより第２断熱材が短く形成されていることから、第１断熱材の側方に、断熱材が設置されていない凹部が形成される。その凹部を、支持脚上に設置して二重床構造を施工できるようになっている。これにより、支持脚を基礎床上に設置した状態で下地パネルと断熱材とを同時に敷設することができ、作業性を向上させることができる。
また、断熱材を下地パネルから突出させ、その突出した部分に段差部を立設したことにより、下地パネルを支持脚上に敷設した際に生じる下地パネル同士の間隙に断熱材の段差部を嵌めこみ、間隙を埋めることができる。これにより、断熱性に優れた二重床構造を構成することができる。
【０００９】
本発明の二重床断熱パネルにおいて、前記第１断熱材及び前記一対の第２断熱材は、前記下地パネルの一側部上面から前記第１断熱材及び前記一対の第２断熱材の裏面を介して、前記下地パネルの他側部上面まで巻き付けられたテープにより、前記下地パネルに固定されているとよい。
第１断熱材及び一対の第２断熱材の下地パネルへの固定を、テープを利用した簡易な手段を用いることで、作業性を向上させることができる。
【００１０】
本発明の二重床断熱パネルにおいて、前記第２段差部の外側面の上下端は、円弧面または角部を切り落とした斜面形状に形成されるとともに、前記第２段差部表面と前記下地パネル表面との間に段差が生じないように連続して設けられているとよい。
下地パネルと断熱材とを固定するためのテープを巻き付ける部分に、９０度以下の鋭角形状や段差をなくすことで、テープの粘着面が下地パネルや断熱材から浮いた状態となることを防止するとともに、テープが切れることを防止し、断熱材を下地パネルに確実に固定することができる。
【００１１】
本発明の二重床構造は、前記二重床断熱パネルを用いて構成される二重床構造であって、コンクリートスラブ等の基礎床上に複数の支持脚が配設され、これら支持脚の間に前記第２断熱材を配置された状態で前記二重床断熱パネルが載置されるとともに、前記第１断熱材の第１段差部及び前記第２断熱材の前記第２段差部の外側面同士を当接させて該二重床断熱パネルが複数並べられて敷設されていることを特徴とする。
【００１２】
また、本発明の二重床構造の施工方法は、前記二重床断熱パネルを複数用意しておき、基礎床上に複数の支持脚を配設した後、これら支持脚の上に前記二重床断熱パネルを載置するとともに、前記下地パネルに固定された前記第１断熱材及び前記第２断熱材の外周面同士を当接させ、各二重床断熱パネルを並べて敷設することを特徴とする。
【００１３】
また、本発明の断熱材は、コンクリートスラブ等の基礎床上に配設される複数の支持脚で支持された下地パネル上に床パネルを敷設することにより、前記基礎床と前記床パネルとの間に空間部を構成する二重床構造に用いられる断熱材であって、前記下地パネルの裏面に配置され、該下地パネルの幅よりも小さく、該下地パネルの長さより大きい第１断熱材と、該第１断熱材の両側方に配置され、前記下地パネルの長さより小さい少なくとも一対の第２断熱材とを有し、前記第１断熱材には、前記下地パネルの裏面に配置された際に該下地パネルの長手方向よりも突出する両端部の上面を前記下地パネルの厚みと同じかそれ以下にして立設された第１段差部が設けられ、前記第２断熱材は、一側部が前記第１断熱材の長辺側面に接して設けられるとともに、他側部が前記下地パネルの側方に突出する大きさに設けられ、その突出する部分の上面を前記下地パネルの厚みと同じかそれ以下にして立設された第２段差部が設けられていることを特徴とする。
【００１４】
本発明の二重床構造の施工方法は、上記断熱材を用いて二重床構造を施工する方法であって、コンクリートスラブ等の基礎床上に複数の支持脚を配設しておき、これら支持脚の上に複数の下地パネルを設置した後に、各下地パネルの裏面に、前記第１断熱材を配置するとともに、該第１断熱材の両側方に少なくとも一対の前記第２断熱材を固定し、前記下地パネルに固定された前記第１断熱材及び前記第２断熱材の外周面同士を当接させ、各二重床断熱パネルを並べて敷設することを特徴とする。
【発明の効果】
【００１５】
本発明によれば、支持脚を基礎床上に設置した状態で、下地パネルと断熱材とを同時に敷設することができ、二重床構造の施工時の作業性を向上させることができる。また、下地パネルを断熱材を介して敷設していることから、断熱性に優れた二重床構造を構成することができる。
【図面の簡単な説明】
【００１６】
【図１】本発明の二重床構造の一実施形態を示す床の平面図である。
【図２】図１の二重床構造の支持脚部分を示す要部拡大平面図である。
【図３】図２に示す二重床構造の（ａ）がＡ−Ａ断面図、（ｂ）がＢ−Ｂ断面図である。
【図４】二重床断熱パネルを説明する図であり、（ａ）が断熱材を所定位置に配置した状態を示し、（ｂ）が下地パネルに断熱材をテープで固定した二重床断熱パネルを示す。
【図５】図４に示す二重床断熱パネルの（ａ）がＣ−Ｃ断面図、（ｂ）がＤ−Ｄ断面を示す。
【図６】下地パネルと断熱材の寸法関係を説明する図である。
【図７】第１断熱材を示す斜視図である。
【図８】第２断熱材を示す斜視図である。
【発明を実施するための形態】
【００１７】
以下、本発明の二重床構造の一実施形態を、図面を参照しながら説明する。
図１から図３に示すように、本実施形態の二重床構造１００は、コンクリートスラブの基礎床１上に配設される複数の支持脚１０で支持された下地パネル２上に床パネル３を敷設することにより、基礎床１と床パネル３との間に空間部４を構成する。
【００１８】
下地パネル２には、廃材等から得られる木片チップを接着剤で固めた長方形のパーティクルボードが使用される。下地パネル２は、図１に示すように、その長辺を相互に平行にして縦に並べられるとともに、短辺間の間隙（目地）が隣接する列で長辺に沿ってずれた配置で並べられる。
また、図４から図６に示すように、下地パネル２の裏面２１には、幅Ｗ２が下地パネル２の幅Ｗ１より小さく、また長さＬ２が下地パネル２の長さＬ１より大きく形成された第１断熱材３０と、第１断熱材３０の両側方に配置され、下地パネル２の長さＬ１より小さい長さＬ３に形成された少なくとも一対の第２断熱材４０とが固定されており、これら断熱材３０，４０と下地パネル２とが一体に設けられた二重床断熱パネル５０が構成されている。図４に示す例では、第１断熱材３０の片側に相互間隔をあけて４個ずつ、合計８個の第２断熱材４０が設けられている。
【００１９】
この二重床断熱パネル５０においては、第１断熱材３０の側方に、隣接して配置される第２断熱材４０と第１断熱材３０の側面３０ａとにより、複数の凹部５１が形成されている。この凹部５１においては、下地パネル２の裏面が露出して設けられており、その露出した部分が支持脚１０の支持面となっている。二重床断熱パネル５０には、各第２断熱材４０の間に３箇所（図４に示す５１Ａ）と、下地パネル２の両端に１箇所ずつ（図４に示す５１Ｂ）、合計８箇所の凹部５１が形成されている。下地パネル２の両端の凹部５１Ｂは、隣合う下地パネル２と突き合わせることにより、第２断熱材４０の間の凹部５１Ａと同じ大きさに設けられる。
【００２０】
また、第１断熱材３０は、図４及び図７に示すように、両端部が下地パネル２の長手方向よりも突出して設けられ、第１断熱材３０の両端部の上面を下地パネル２の厚みと同じにして立設された第１段差部３１が設けられている。第１段差部３１の外側面の上下端３２は、円弧面または角部を切り落とした斜面形状に形成されるとともに、第１段差部３１表面と下地パネル２表面との間に段差が生じないように連続して設けられている。
第２断熱材４０は、図４及び図８に示すように、一側部が第１断熱材３０の長辺側面３０ａに接して設けられるとともに、他側部が下地パネル２の側方に突出して設けられる。その第２断熱材４０には、その突出した部分の上面を下地パネル２の厚みと同じにして立設された第２段差部４１が設けられている。第２段差部４１の外側面４０ｂの上下端４２は、円弧面または角部を切り落とした斜面形状に形成されるとともに、第２段差部４１表面と下地パネル２表面との間に段差が生じないように連続して設けられている。
これら第１断熱材３０及び第２断熱材４０の材料には、発泡ウレタン、発泡スチロール等の発泡性樹脂成形体を使用することができる。
【００２１】
このように形成された下地パネル２の幅Ｗ１、第１断熱材３０の幅Ｗ２、第２断熱材４０の幅Ｗ３の関係について、図６に示す第２断熱材４０の段差部を除く上面の幅Ｗ４、支持脚１０と当接する支持パネル２の支持面の幅Ｗ５を含めて整理すると、Ｗ２＋Ｗ３×２＞Ｗ１、Ｗ２＋Ｗ４×２≒Ｗ１、Ｗ４≒Ｗ５の関係となる。
【００２２】
そして、これら第１断熱材３０及び第２断熱材４０の下地パネル２への固定は、図４に示すように、テープ６０を利用した簡易な手段が用いられる。下地パネル２の裏面２１に第１断熱材３０及び第２断熱材４０を、図６の矢印で示すように組み合わせて、仮止め用の両面テープや接着剤（不図示）等により仮止めした後、テープ６０によって、下地パネル２の一側部上面から、第１断熱材３０及び第２断熱材４０の裏面を介して下地パネル２の他側部上面まで巻き付けることにより、強固に固定することができる。この際、下地パネル２と断熱材３０，４０とを固定するためのテープ６０を巻きつける部分には、９０度以下の鋭角形状や段差がなく、テープ６０の粘着面が下地パネル２や断熱材３０，４０から浮いた状態となることが防止され、テープ６０が切れることを防止できることから、断熱材３０，４０を下地パネル２に確実に固定することができる。
なお、第１断熱材３０及び第２断熱材４０と下地パネル２との固定は、テープ以外の接着剤等によっても固定することができる。
【００２３】
支持脚１０は、図３（ｂ）に示すように、基礎床１上に配設される防振ゴム（接床台座）１１と、防振ゴム１１に垂直に支持された支持ボルト１２と、支持ボルト１２の上部に取り付けられ、支持ボルト１２の回転動作に伴って上下移動する支持プレート１３とから構成されている。
防振ゴム１１は、円錐台形状に設けられており、床パネル３上からの衝撃を減衰させて基礎床１への伝達を抑制し、遮音性や衝撃緩和性を高めるものである。そして、この防振ゴム１１に支持ボルト１２が回転自在に支持されている。
支持ボルト１２の上端部には、プラスドライバ等が挿入可能な工具挿入溝１２ａが形成されている。支持ボルト１２を回転させることにより支持プレート１３を上下方向に移動させ、基礎床１からの下地パネル２の高さを調節することができる。
支持プレート１３は、金属板やプラスチック板、パーティクルボード等で形成され、その上面が下地パネル２の支持面となっており、下地パネル２を下方から支持するとともに、必要に応じて釘等（図示略）を下地パネル２の上面側から打ち込むことにより、下地パネル２を直接固定できるようになっている。なお、この支持プレート１３の上面には、下地パネル２の仮止め用の両面テープ及び剥離紙（図示略）が設けられている。
【００２４】
次に、二重床断熱パネル５０が、複数敷き詰められて構成される二重床構造１００の施工方法について、以下に説明する。
まず、図１に示すように、支持脚１０を、基礎床１上に一定の間隔をおいて複数並べて立設する。そして、これら支持脚１０の支持プレート１３表面の剥離紙を剥がして、両面テープを露出させ、その上に二重床断熱パネル５０の凹部５１に囲まれる支持面（下地パネル２の露出部分）を重ねるようにして載置する。この場合、二重床断熱パネル５０は、予め工場等で下地パネル２と断熱材３０，４０とを固定しておいても良いし、組立作業が容易であるので、施工現場で、下地パネル２と断熱材３０，４０とをテープ６０により固定しても良い。また、基礎床１上に配置された支持脚１０の上に、複数の下地パネル２を設置した後に、各下地パネル２の裏面２１に、第１断熱材３０を配置するとともに、第１断熱材３０の両側方に第２断熱材４０を固定することにより、二重床断熱パネル５０を形成するようにしてもよい。
【００２５】
各下地パネル２の外側面は、凹部５１を除いて第１断熱材３０の第１段差部３１及び第２断熱材４０の第２段差部４１により覆われた状態とされており、これら第１段差部３１及び第２段差部４１の外側面同士を当接させて敷設することにより、下地パネル２同士の隙間が第１段差部３１及び第２段差部４１により埋められた状態で、二重床断熱パネル５０が面一に敷設される。この際、下地パネル２の隙間に嵌めこまれた第２段差部４１同士の間には、図１に示すように、Ｔ字形の隙間５５Ａ又はＩ字形の隙間５５Ｂが形成され、これら隙間５５Ａ，５５Ｂに支持ボルト１２の頭部が露出した状態となる。
【００２６】
次に、必要に応じて下地パネル２の上面側から支持プレート１３に釘止めし、下地パネル２を支持脚１０に直接固定する。この際、下地パネル２の隙間５５Ａ，５５Ｂに露出する支持ボルト１２の工具挿入溝１２ａに工具を係合させ、支持ボルト１２を軸芯回りに回転させる。これにより、支持プレート１３を上下移動させ、下地パネル２の基礎床１からの高さを微調整でき、所定の施工高さにすることができる。そして、面一に敷設された下地パネル２の表面に仕上げの床パネル３を敷設して、二重床構造１００が仕上げられる。
【００２７】
このように、本実施形態の二重床構造１００においては、下地パネル２の裏面２１に断熱材３０，４０を固定した二重床断熱パネル５０を用いることにより、二重床構造１００の施工時に、支持脚１０を基礎床１上に設置した状態で、上方から下地パネル２と断熱材３０，４０とを同時に敷設でき、作業性を向上させることができる。
また、断熱材３０，４０を下地パネル２の側面から突出させ、その突出した部分に段差部３１，４１を立設したことにより、下地パネル２を支持脚１０上に敷設した際に生じる下地パネル２同士の間隙に断熱材３０，４０の段差部３１，４１を嵌めこみ、下地パネル２の間隙を埋めることができる。これにより、断熱性に優れた二重床構造を構成することができる。
【００２８】
なお、本発明は上記実施形態の構成のものに限定されるものではなく、細部構成においては、本発明の趣旨を逸脱しない範囲において種々の変更を加えることが可能である。
例えば、第２断熱材の取付個数は、上記実施形態のものに限定されるものではなく、第１断熱材の両側方に少なくとも一対設けられていればよい。
また、第1断熱材３０の段差部３１及び第２断熱材４０の段差部４１を、下地パネル２の厚みと同じに形成したが、必ずしも同じ寸法でなくても、下地パネル２の厚みより僅かに小さい高さに形成してもよい。
【符号の説明】
【００２９】
１００  二重床構造
１  基礎床
２  下地パネル
３  床パネル
４  空間部
１０  支持脚
１１  防振ゴム
１２  支持ボルト
１２ａ  工具挿入溝
１３  支持プレート
２１  裏面
３０  第１断熱材
３１  第１段差部
３２  第１段差部の外側面の上下端
４０  第２断熱材
４０ｂ  第２段差部の外側面
４１  第２段差部
４２  第２段差部の外側面の上下端
５０  二重床断熱パネル
５１，５１Ａ，５１Ｂ  凹部
５５Ａ，５５Ｂ  隙間
６０  テープ
【図１】
2013079528.tif 000003
【図２】
2013079528.tif 000004
【図３】
2013079528.tif 000005
【図４】
2013079528.tif 000006
【図５】
2013079528.tif 000007
【図６】
2013079528.tif 000008
【図７】
2013079528.tif 000009
【図８】
2013079528.tif 000010